Podtech/llm-jp-corpus-v4-ja_patent huggingface dataset:
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
乳化肉脱水アセンブリであって、
それぞれが後端および前端、ならびに長手方向軸を示す、一対の細長い、平行でない、先細で噛み合った螺旋状にねじ山を付けられたねじであって、前記ねじがその長手方向軸間の夾角が１〜７°であるように配向され、前記ねじの螺旋状のねじ山が前記ねじの長さに沿って協働してニップ間隙を提示するねじと、
前記ねじの後端に隣接する乳化された肉のための入口開口部と、ハウジングの長さの少なくとも一部に沿った一連の水出口と、前記ねじの前端に隣接する脱水された肉出口とを有する、前記螺旋ねじを少なくとも部分的に囲む前記細長いハウジングと、を備えるアセンブリにおいて、
前記各ねじのピッチ長さが前記後端から前記前端に向かって減少し、駆動アセンブリが、前記脱水アセンブリの動作中に前記ねじを逆回転させるために前記ねじと動作可能に結合され、前記ハウジング内の圧力が大気圧になるように前記ハウジングが開放型であることを特徴とする、アセンブリ。
【請求項２】
前記ハウジングが、対応する螺旋ねじをそれぞれ受容する一対の隣り合ったチャンバを提示する、請求項１に記載のアセンブリ。
【請求項３】
前記ねじのねじ山の間の前記ニップ間隙を調整するように動作可能な装置を含む、請求項１に記載のアセンブリ。
【請求項４】
前記ねじが等しい長さである、請求項１に記載のアセンブリ。
【請求項５】
前記角度が２°である、請求項１に記載のアセンブリ。
【請求項６】
前記水出口が前記ハウジングに形成された一連の穿孔を含む、請求項１に記載のアセンブリ。
【請求項７】
前記穿孔が、前記ハウジングの全表面領域の周りに完全に延在している、請求項６に記載のアセンブリ。
【請求項８】
前記穿孔が前記ハウジングの底部に沿ってのみ存在する、請求項６に記載のアセンブリ。
【請求項９】
前記ハウジングの下に水槽を含む、請求項１に記載のアセンブリ。
【請求項１０】
前記ハウジングがその長さに沿って先細になっている、請求項１に記載のアセンブリ。
【請求項１１】
前記駆動アセンブリが、前記ねじを５０〜１５０ｒｐｍの速度で逆回転させるように動作可能である、請求項１に記載のアセンブリ。
【請求項１２】
請求項１に記載の乳化肉脱水アセンブリを使用して乳化肉を脱水する方法であって、
前記乳化された肉を食肉脱水アセンブリに通して通過させるステップと、
脱水肉を回収するステップと、を含む方法において、
前記乳化された食肉が前記脱水アセンブリを通過する間に前記ねじを逆回転させ、前記乳化された食肉から水を排出するために前記ニップ間隙内で食肉を圧縮させるステップを特徴とし、前記方法が大気圧で実行される、方法。
【請求項１３】
前記ねじを５０〜１５０ｒｐｍの速度で逆回転させるステップを含む、請求項１２に記載の方法。
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
複数のチャンバを有するセンサパネルであって、それぞれのチャンバが、1つまたは複数の細胞表面受容体を発現する細胞を含み、該細胞は、該細胞表面受容体と揮発性有機化合物との間で起こる結合事象に応答して電気信号を生じる、該センサパネルと、
電気信号を測定するための、各チャンバに配置された、少なくとも1つの電極と、
該揮発性有機化合物を特定するために、該電極により測定された該電気信号を受信および処理するように構成された、コントローラと
を含む、揮発性有機化合物検出システム。
【請求項２】
前記チャンバは、液体と、該液体を該チャンバに保持する膜とを含み、該膜は、前記化合物が空気から該液体に拡散するのを可能にする、請求項１記載のシステム。
【請求項３】
空気試料をチャンバの液体に移行させるための、1つまたは複数の空気サンプリング装置をさらに含む、請求項１または２記載のシステムであって、
該空気サンプリング装置は、
A.該チャンバの液体の体積の上にある前記化合物の分圧を高めるために、混合チャンバに加圧空気を注入するための、加圧ガスチャンバと、
B.該液体が該空気試料に曝露される前に、該液体が加熱される、加熱チャンバであって、該液体はその後、該液体を該チャンバへ入れる前に冷却される、該加熱チャンバと、
C.該空気試料が溶媒と混合された後、該液体と混合される、溶媒チャンバと
を含む、該システム。
【請求項４】
複数のチャンバを有する細胞ベースセンサ装置に、空気試料を提供する工程であって、それぞれのチャンバが、1つまたは複数の細胞表面受容体を発現する細胞を含む、工程と、
該細胞の細胞表面受容体の1つまたは複数と、該空気試料中の揮発性有機化合物との間の結合事象により生じた電気信号を測定する工程と、
該揮発性有機化合物を検出および特定するために、該電気信号を処理する工程と
を含む、空気試料中の揮発性有機化合物を検出および特定するための方法。
【請求項５】
前記細胞はニューロンである、請求項１記載のシステムまたは請求項４記載の方法。
【請求項６】
前記電気信号は活動電位である、請求項１記載のシステムまたは請求項４記載の方法。
【請求項７】
前記電気信号は、活動電位の閾値を下回る興奮電気信号レベルである、請求項１記載のシステムまたは請求項４記載の方法。
【請求項８】
前記電気信号は、細胞膜脱分極である、請求項１記載のシステムまたは請求項４記載の方法。
【請求項９】
前記細胞は、前記細胞表面受容体を発現するように遺伝子組換えされている、請求項１記載のシステムまたは請求項４記載の方法。
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
標的ポリペプチドに結合する抗体又は抗体模倣物を産生する細胞を識別する方法であって、
（ａ）哺乳類細胞集団において抗体又は抗体模倣物のライブラリを発現させるステップであり、それぞれの抗体又は抗体模倣物は、それが産生された細胞から分泌され、前記標的ポリペプチドは、前記哺乳類細胞集団の各細胞の外面にディスプレイされ、前記標的ポリペプチドは前記細胞集団の各細胞内で発現される内在性膜タンパク質であるステップ、
（ｂ）前記抗体又は抗体模倣物を分泌した細胞上にディスプレイされた標的ポリペプチドにのみ前記抗体又は抗体模倣物が結合し得る時点の後に、前記哺乳類細胞集団のうち、分泌された前記抗体又は抗体模倣物が結合した細胞を単離するステップであって、
前記抗体又は抗体模倣物が結合した前記細胞は、前記標的ポリペプチドに結合する抗体又は抗体模倣物を産生する細胞であるステップ、及び
（ｃ）前記単離された細胞において、前記標的ポリペプチドに結合する前記抗体又は抗体模倣物をコードする全部又は一部のポリヌクレオチド配列を配列決定するステップ、
を含む、
前記方法。
【請求項２】
前記標的ポリペプチドは、前記細胞集団の各細胞内で、発現コンストラクトから発現される、請求項１に記載の方法。
【請求項３】
前記標的ポリペプチドは免疫チェックポイント分子である、請求項１又は２に記載の方法。
【請求項４】
前記哺乳類細胞は、ヒト、マウス、ラット、ハムスター、サル、ウサギ、ロバ、ウマ、ヒツジ、ウシ及び類人猿由来のいずれかの臓器又は組織由来の細胞からなる群から選択される、請求項１〜３のいずれか一項に記載の方法。
【請求項５】
（ｉ）前記抗体はｓｃＦＶ抗体である、又は
（ｉｉ）前記抗体模倣物はＡｆｆｉｂｏｄｙ、ＤＡＲＰｉｎ、Ａｎｔｉｃａｌｉｎ、Ａｖｉｍｅｒ又はＶｅｒｓａｂｏｄｙである、又は
（ｉｉｉ）前記抗体又は抗体模倣物は、前記抗体又は抗体模倣物に結合する標識２次抗体を用いて検出される、
請求項１〜４のいずれか一項に記載の方法。
【請求項６】
前記方法は液体培地、半固形培地、固形培地において実施されるか、又は前記細胞は完全に又は部分的に固定される、請求項１〜５のいずれか一項に記載の方法。
【請求項７】
ステップ（ａ）は更に、
前記方法は連続的又は不連続に交換される液体培地において実施される、
という特徴を含む、請求項１〜６のいずれか一項に記載の方法。
【請求項８】
（ｉ）ステップ（ａ）が実施される前記液体培地の動的粘度は、２５℃において少なくとも１０×１０−４Ｐａ．ｓである、又は
（ｉｉ）ステップ（ａ）が実施される前記培地はヒドロゲルである、
請求項１〜７のいずれか一項に記載の方法。
【請求項９】
ステップ（ａ）は、
（ａ１）哺乳類細胞集団において抗体又は抗体模倣物のライブラリを発現させるステップであり、それぞれの抗体又は模倣物は、それが産生される前記細胞から分泌される、ステップと、
（ａ２）前記哺乳類細胞集団から、抗体又は抗体模倣物が結合する細胞を除去するステップと、次に、
（ａ３）前記哺乳類細胞集団の各細胞の外面上での前記標的ポリペプチドの発現をプロモーターから誘導するステップと、
を含む、請求項１〜８のいずれか一項に記載の方法。
【請求項１０】
前記プロモーターは、Ｔｅｔリプレッサータンパク質（ＴｅｔＲ）が結合可能な複数のＴｅｔオペレータ配列を含む誘導性プロモーターである、請求項９に記載の方法。
【請求項１１】
標的ポリペプチドに結合する抗体又は抗体模倣物の全部又は一部のヌクレオチド配列を取得する方法であって、請求項１〜１０のいずれか一項に記載の方法を含み、更に、前記細胞において前記抗体又は抗体模倣物をコードする核酸の全部又は一部の配列を決定するステップを含む、前記方法。
【請求項１２】
標的ポリペプチドに結合する抗体又は抗体模倣物の全部又は一部のアミノ酸配列を取得する方法であって、請求項１〜１０のいずれか一項に記載の方法を含み、更に、前記抗体又は抗体模倣物を精製するステップと、前記精製された抗体又は抗体模倣物の全部又は一部の配列を決定するステップと、を含む、前記方法。
【請求項１３】
哺乳類細胞集団を作製するためのプロセスであって、
第２の哺乳類細胞集団を作製するために、
（ａ）複数の第１の発現コンストラクトであって、分泌性の抗体又は抗体模倣物のライブラリをコードする複数の第１の発現コンストラクト；および
（ｂ）所望の標的ポリペプチドをコードする第２の発現コンストラクトであって、前記標的ポリペプチドは膜貫通ドメインを含む、第２の発現コンストラクト、
を用いて第１の哺乳類細胞集団を形質転換させるステップを含み、
前記第２の哺乳類細胞集団の各細胞は、１又は複数の抗体又は抗体模倣物を分泌するか又は分泌可能であり、前記第２の哺乳類細胞集団の各細胞は、前記哺乳類細胞の外面に前記標的ポリペプチドをディスプレイするか又はディスプレイ可能である、
前記プロセス。
【請求項１４】
前記標的ポリペプチドは内在性膜タンパク質である、請求項１３に記載のプロセス。
【請求項１５】
（ｉ）前記標的ポリペプチドは、前記細胞集団の各細胞内で発現される、又は、
（ｉｉ）前記複数の第１の発現コンストラクト及び／又は前記第２の発現コンストラクトは、前記哺乳類細胞に感染可能なウイルスにより、前記第１の哺乳類細胞集団に送達される、
請求項１３又は請求項１４に記載のプロセス。
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
ヒトレベルシリンをコードする、配列番号３またはそれと少なくとも８０％同一の配列、を含む改変型核酸。
【請求項２】
ヒトレベルシリンをコードする、配列番号３またはそれと少なくとも８０％同一の配列、を含む発現カセット。
【請求項３】
組換えアデノ随伴ウイルス（ｒＡＡＶ）であって、前記ｒＡＡＶは、ＡＡＶカプシドと、その内部にパッケージされたベクターゲノムとを含み、前記ベクターゲノムは：
（ａ）ＡＡＶ５’逆向き末端反復（ＩＴＲ）配列；
（ｂ）プロモーター；
（ｃ）ヒトレベルシリンをコードするコード配列；
（ｄ）ＡＡＶ３’ＩＴＲ、
を含む、前記ｒＡＡＶ。
【請求項４】
前記（ｃ）のコード配列が、配列番号２の天然のヒトレベルシリンコード配列と少なくとも７０％同一であるコドン最適化ヒトＬＣＡ５である、請求項３に記載のｒＡＡＶ。
【請求項５】
前記（ｃ）のコード配列が、配列番号３またはそれと少なくとも８０％同一の配列である、請求項３または４に記載のｒＡＡＶ。
【請求項６】
前記ｒＡＡＶカプシドが、ＡＡＶ７ｍ８もしくはその変異体、ＡＡＶ８カプシド、ＡＡＶ６カプシドもしくはその変異体、ＡＡＶ９カプシドもしくはその変異体、ＡＡＶ７カプシド、もしくはその変異体、ＡＡＶ５カプシド、もしくはその変異体、ＡＡＶ２カプシドまたはその変異体、ＡＡＶ１カプシドまたはその変異体、ＡＡＶ３カプシドもしくはその変異体、または、ＡＡＶ４カプシドもしくはその変異体である、請求項３〜５のいずれか１に記載のｒＡＡＶ。
【請求項７】
前記プロモーターが、サイトメガロウイルス（ＣＭＶ）プロモーター、または、ＣＭＶプロモーター配列と、ニワトリベータアクチン（ＣＢＡ）プロモーター配列とを含むハイブリッドプロモーターである、請求項３〜６のいずれか１に記載のｒＡＡＶ。
【請求項８】
前記ＡＡＶ５’ＩＴＲ、及び／または、ＡＡＶ３’ＩＴＲが、ＡＡＶ２由来である、請求項３〜７のいずれか１に記載のｒＡＡＶ。
【請求項９】
請求項３〜８のいずれかに記載のｒＡＡＶと、眼への送達に適した医薬として許容可能な担体または賦形剤とを含む組成物。
【請求項１０】
ＬＣＡ患者への投与に適した水性懸濁液であって、前記懸濁液は、水性懸濁液、及び、約１×１０10ウイルス粒子〜約１×１０12ＧＣまたはウイルス粒子／眼である、ＬＣＡの治療薬として有用な組換えアデノ随伴ウイルス（ｒＡＡＶ）を含み、前記ｒＡＡＶは、ＡＡＶカプシドを有し、及び、
（ａ）ＡＡＶ  ５’逆向き末端反復（ＩＴＲ）配列；
（ｂ）プロモーター；
（ｃ）ヒトレベルシリンをコードするコード配列；
（ｄ）ＡＡＶ  ３’ＩＴＲ、を含む、
ベクターゲノムをその内部にパッケージしている、前記水性懸濁液。
【請求項１１】
前記懸濁液が、網膜下または硝子体内注射に適している、請求項１０に記載の水性懸濁液。
【請求項１２】
前記ｒＡＡＶカプシドが、ＡＡＶ７ｍ８カプシドである、請求項１０または１１に記載の懸濁液。
【請求項１３】
ＬＣＡを有する対象の処置のための、請求項３〜８のいずれかに記載のｒＡＡＶ、請求項９に記載の組成物、または、請求項１０〜１２のいずれかに記載の水性懸濁液、を含んでなる医薬組成物。
【請求項１４】
前記ｒＡＡＶを、水性懸濁液において、約１×１０9〜約１×１０13のベクターゲノム／眼（ｖｇ／眼）で送達する、請求項１３に記載の医薬組成物。
【請求項１５】
前記ｒＡＡＶを、網膜下または硝子体内に投与する、請求項１３または１４に記載の医薬組成物。
【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
脳マーカを表すデータを求める方法を電子デバイスに実行させるプログラムであって、前記データは、所与の作業の遂行に関わる少なくとも１つの脳ネットワークから得られ、前記電子デバイスは、脳波活動に関するデータを取得する手段を備え、
前記方法は、
脳波活動に関するデータを処理し、前記脳波活動に関するデータから導かれる、皮質源の間の結合度を表す少なくとも１つの機能的結合度行列を提供するステップであって、前記行列の各係数が２つの皮質源の間の結合度を表す、ステップ（１０）と、
前記少なくとも１つの機能的結合度行列の統計的解析を行い、少なくとも１つの脳ネットワークの存在を示す確率的行列を提供するステップ（２０）と、
前記少なくとも１つの機能的結合度行列と前記統計的解析とに基づいて前記少なくとも１つの脳ネットワークを特徴付け、少なくとも１つの脳ネットワーク行列を提供するステップ（３０）と、
前記少なくとも１つの脳ネットワーク行列に応じて脳マーカを取得するステップ（４０）と
を含む、プログラム。
【請求項２】
前記少なくとも１つの脳ネットワーク行列に応じて脳マーカ（ＥＷＣＩ）を取得するステップ（４０）は、次式すなわち
【数１】
2020510470.tif 000001
の適用を含み、
Ｎは、前記脳ネットワークのエッジの数を表し、
Ｗｉは、脳ネットワークの行列における前記エッジｉの重みを表す、請求項１に記載のプログラム。
【請求項３】
前記脳波活動に関するデータを処理するステップ（１０）は、
脳波信号を測定する表面電子デバイスから来た信号を、少なくとも１つの前処理パラメータに応じて前処理するステップ（１０１）と、
前記脳波信号を生成する複数の皮質源を決定するステップ（１０２）と、
ペアワイズ結合を解析する複数のステップ（１０３）であって、皮質源の各ペアについて、当該ペアの２つの皮質源の間の結合度を求める少なくとも１つのステップを含む、ステップと
を含み、
前記脳波活動に関するデータを処理するステップは、各皮質源について、他の全ての所定の皮質源との結合度の値を含む機能的結合度行列と呼ばれる正方行列を提供する、請求項１に記載のプログラム。
【請求項４】
前記少なくとも１つの機能的結合度行列の統計的解析を行うステップ（２０）は、現在の機能的結合度行列について、ＮＢＳ法と呼ばれるネットワークベースの統計的解析の方法を実施することを含む、請求項１に記載のプログラム。
【請求項５】
前記少なくとも１つの機能的結合度行列の統計的解析を行うステップ（２０）は、現在の機能的結合度行列について、
前記現在の機能的結合度行列の各係数の共分散分析（ＡＮＣＯＶＡ）を行い、確率的行列を提供するステップ（２０１）であって、前記確率的行列の各係数は、前記現在の機能的結合度行列の係数に関連付けられた脳ネットワークのエッジの帰無仮説が棄却される確率ｐによって表される、ステップと、
前記確率的行列の各係数ｐに対して要素閾値Ｔを適用し、閾値処理がなされた行列を提供するステップ（２０２）と、
前記閾値処理がなされた行列に基づいて、前記脳ネットワークのエッジの数を表す要素のサイズを取得するステップ（２０３）と、
並べ替え検定により、ランダムに定められた構成要素の最大サイズを取得するステップ（２０４）と、
ランダムに定められた要素の最大サイズが事前に取得された要素のサイズと所定の許容閾値だけ異なるときに許容するステップと
を含む、請求項１に記載のプログラム。
【請求項６】
前記要素閾値Ｔは０．０１〜０．００１の範囲にある、請求項５に記載のプログラム。
【請求項７】
前記要素閾値Ｔは０．００５に等しい、請求項５に記載のプログラム。
【請求項８】
脳マーカを表すデータを求める電子デバイスであって、前記データは、所与の作業の遂行に関わる少なくとも１つの脳ネットワークから取得され、前記デバイスは、脳波活動に関するデータを取得する手段を備えており、
脳波活動に関するデータを処理し、前記脳波活動に関するデータから導かれる、皮質源の間の結合度を表す少なくとも１つの機能的結合度行列を提供する手段であって、前記行列の各係数は２つの皮質源の間の結合度を表す、手段と、
前記少なくとも１つの機能的結合度行列の統計的解析を行い、少なくとも１つの脳ネットワークの存在を示す確率的行列を提供する手段と、
前記少なくとも１つの機能的結合度行列と前記統計的解析とから得られる前記少なくとも１つのネットワークを特徴付け、少なくとも１つの脳ネットワーク行列を提供する手段と、
前記少なくとも１つの脳ネットワーク行列に応じて統計的マーカを取得する手段と
を備える電子デバイス。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
医療介入システムにおいて、
複数のコンポーネントを含む介入医療装置と、
ユーザにより着用され、前記介入医療装置を使用する環境における介入処置中に前記ユーザにより見られる前記複数のコンポーネントの少なくとも１つのコンポーネントの画像を示すように構成される拡張現実表示装置と、
前記インタラクティブ医療装置を使用する前記介入処置を実行する前記ユーザを支援するように前記拡張現実表示装置上に示される前記コンポーネントの画像上にコンテクストオーバレイを生成するように構成されるグラフィック処理モジュールと、
を有するシステム。
【請求項２】
前記システムが、
前記介入処置中に前記ユーザ、対象及び／又は前記インタラクティブ医療装置からフィードバックを受け取るように構成されるフィードバック装置、
を有し、
前記グラフィック処理モジュールが、前記フィードバックを受け取り、前記フィードバックに基づいて前記コンテクストオーバレイを提供するように更に構成される、
請求項１に記載のシステム。
【請求項３】
前記グラフィック処理モジュールが、少なくとも１つのコンポーネントを識別するために前記コンテクストオーバレイを生成するように更に構成される、請求項１に記載のシステム。
【請求項４】
前記グラフィック処理モジュールが、生成される前記コンテクストオーバレイを決定するのに前記ユーザからの入力を受け取るように更に構成される、請求項１に記載のシステム。
【請求項５】
前記グラフィック処理モジュールが、前記ユーザにより実行されるべき前記介入処置のステップを識別するために前記コンテクストオーバレイを生成するように更に構成される、請求項１に記載のシステム。
【請求項６】
前記介入処置のステップを識別することが、前記ユーザにより操作されるべき１以上の特定の制御装置を識別し、前記制御装置の操作を記述することを有する、請求項５に記載のシステム。
【請求項７】
前記介入処置中に前記ユーザ、対象及び／又は前記インタラクティブ医療装置からフィードバックを受け取るように構成されるフィードバック装置、前記複数のコンポーネントの前記少なくとも１つのコンポーネントからの信号の履歴又はデータベースの少なくとも１つからフィードバックを受け取り、
前記フィードバックに基づいて前記介入処置に対して前記ユーザが実行するステップを決定し、
前記ステップに対して生成されるべき前記コンテクストオーバレイに関して信号を前記グラフィック処理モジュールに送信する、
ように構成された決定モジュール、
を有する、請求項５に記載のシステム。
【請求項８】
前記グラフィック処理モジュールが、前記環境における特定の領域を識別するために前記コンテクストオーバレイを生成するように更に構成される、請求項１に記載のシステム。
【請求項９】
前記グラフィック処理モジュールが、前記インタラクティブ医療装置のＣアームに対する所望の位置を識別するために前記コンテクストオーバレイを生成するように更に構成される、請求項８に記載のシステム。
【請求項１０】
前記システムが、
前記インタラクティブ医療装置のＣアームに対する目標アイソセンタ及び前記Ｃアームに対する現在のアイソセンタの位置を決定するように構成される位置モジュール、
を有し、
前記グラフィック処理モジュールが、前記位置モジュールから前記目標アイソセンタ及び現在のアイソセンタの位置を受け取り、前記環境における前記目標アイソセンタを識別するための前記コンテクストオーバレイ及び前記現在のアイソセンタを識別するための他のコンテクストオーバレイを生成するように更に構成される、
請求項１に記載のシステム。
【請求項１１】
前記グラフィック処理モジュールが、前記介入処置を実行するために障害があってはならない少なくとも１つの領域を識別するために前記コンテクストオーバレイを生成するように更に構成される、請求項１に記載のシステム。
【請求項１２】
前記システムが、
前記環境における物体の位置を決定し、前記物体の位置を前記障害があってはならない少なくとも１つの領域と比較するように構成される場所モジュール、
を有し、
前記グラフィック処理モジュールが、取り除かれなければならない、前記障害があってはならない少なくとも１つの領域内の物体を識別するために前記コンテクストオーバレイを生成するように更に構成される、
請求項１１に記載のシステム。
【請求項１３】
インタラクティブ医療装置と、ユーザにより着用され、介入処置を実行しながら前記ユーザにより見られる前記インタラクティブ医療装置の少なくとも１つの画像を示すように構成される拡張現実表示装置とを使用する環境における前記ユーザによる前記介入処置の実行を支援する方法において、
前記拡張現実表示装置上の前記画像上に生成されるコンテクストオーバレイを決定するステップと、
前記介入処置の前記ユーザの実行を支援するように前記拡張現実表示装置上の画像上に前記コンテクストオーバレイを生成するステップと、
を有する方法。
【請求項１４】
前記介入処置中に少なくとも１つのフィードバック装置により取得された前記ユーザ、対象及び／又は前記インタラクティブ医療装置からのフィードバックに基づいて前記コンテクストオーバレイを決定するステップを更に有する、請求項１３に記載のシステム。
【請求項１５】
前記コンテクストオーバレイが、前記ユーザにより操作されるべき１以上の特定の制御装置を識別し、前記制御装置の操作を記述することにより前記ユーザにより実行されるべき前記介入処置の少なくとも１つのステップを識別するように構成される、請求項１３に記載のシステム。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
第１組織を第２組織に固定する際の使用のためのアンカーシステムであって、前記アンカーシステムは四点二平面アンカーを備え、前記アンカーは、
ａ．第１平坦アンカー要素であって、
ｉ．第１近位連結部分と、
ｉｉ．前記第１近位連結部分とは同一平面上に配置され、かつ、前記第１近位連結部分から遠位方向および横方向に離れるように延長する、対向するフックの遠位対と、
を備える、第１平坦アンカー要素と、
ｂ．第２平坦アンカー要素であって、
ｉ．前記第１近位連結部分に対して相補的な第２近位連結部分と、
ｉｉ．前記第２近位連結部分とは同一平面上に配置され、かつ、前記第２近位連結部分から遠位方向および横方向に離れるように延長する、対向するフックの遠位対と、
を備える、第２平坦アンカー要素と、
を備え、
（ｉ）前記第１平坦アンカー要素および前記第２平坦アンカー要素は、前記第１近位連結部分および前記第２近位連結部分の締結により一緒に連結され、かつ（ｉｉ）前記アンカーは径方向に圧縮可能である、アンカーシステム。
【請求項２】
前記アンカーシステムは、前記アンカーの非圧縮直径よりも小さい内径を有する遠位管部分を備える回収装置をさらに備え、それにより、前記アンカーの前記遠位管部分内への近位方向の引き抜きが前記アンカーを径方向に圧縮するのに効果的である、請求項１に記載のアンカーシステム。
【請求項３】
前記回収装置の遠位管部分は、前記アンカーに接続される回収ワイヤを前記遠位管部分に通すように構成され、それにより、（ｉ）前記回収ワイヤを包囲する遠位管部分の遠位方向の前進が、前記遠位管部分の遠位先端部を前記アンカーの近位部分にもってくるのに効果的であり、かつ（ｉｉ）前記回収ワイヤの近位方向の引き抜きが、前記アンカーを前記遠位管部分内に引っ込ませ、前記遠位管部分内に収まるように収縮させるのに効果的である、請求項２に記載のアンカーシステム。
【請求項４】
前記遠位管部分は可撓性である、請求項２または３のどちらか一項に記載のアンカーシステム。
【請求項５】
前記回収装置は、前記遠位管部分の近位にあり、かつ近位管部分の遠位にある可撓接合部を備える、請求項２または３のどちらか一項に記載のアンカーシステム。
【請求項６】
前記アンカーの近位端部は扁長の弓形状を有する、請求項１乃至５の何れか一項に記載のアンカーシステム。
【請求項７】
（ｉ）前記第１近位連結部分は、前記第１近位連結部分の後方側面と前方側面との間で延長するアパーチャを有し、（ｉｉ）前記第２近位連結部分は、（Ａ）近位突起体をそれぞれ備える１対の離間した近位アーム部であって、前記近位アーム部の近位突起体は互いに向かって突起し、前記近位突起体の間の近位側距離は、前記第１近位連結部分の後方側面から前方側面まで測定された厚さよりも小さい、近位アーム部と、（Ｂ）近位突起体をそれぞれ備える１対の離間した近位アーム部とを備え、（ｉｉｉ）前記第１近位連結部分および前記第２近位連結部分の締結は、前記第２近位連結部分の近位突起体の前記第１近位連結部分のアパーチャへの挿入およびラッチを含む、請求項１乃至６の何れか一項に記載のアンカーシステム。
【請求項８】
前記第１平坦アンカー要素および前記第２平坦アンカー要素のそれぞれは、１枚の超弾性物質から取得される、請求項１乃至７の何れか一項に記載のアンカーシステム。
【請求項９】
前記アンカーシステムは、長尺ニードルを備えるアプリケータを追加的に備え、前記アンカーは前記長尺ニードル内に配置され、前記対向するフックの遠位対は、前記長尺ニードル内に収まるように縮小状態に付勢される、請求項１乃至８の何れか一項に記載のアンカーシステム。
【請求項１０】
前記アプリケータは、前記対向するフックの遠位対が遠位側で外向きに前記長尺ニードルの縦軸から前記第２の組織の中または向こうに延長するのを可能にするべく、前記長尺ニードルの遠位端部の外に前記アンカーを射出するように構成されたトリガ可能な前進機構を追加的に備える、請求項９に記載のアンカーシステム。
【請求項１１】
前記第１平坦アンカー要素および前記第２平坦アンカー要素は一緒に連結し、前記第１平坦アンカー要素と前記第２平坦アンカー要素との間に７０度と１１０度との間の角度を形成するように構築される、請求項１乃至１０の何れか一項に記載のアンカーシステム。
【請求項１２】
前記第１平坦アンカー要素および前記第２平坦アンカー要素は、垂直に一緒に連結するように構築される、請求項１乃至１１の何れか一項に記載のアンカーシステム。
【請求項１３】
請求項１乃至１２の何れか一項に記載のアンカーシステムのアンカーを製造するための方法であって、前記方法は、
ａ．少なくとも１枚の超弾性物質から前記第１平坦アンカー要素および前記第２平坦アンカー要素を取得することと、
ｂ．前記第１平坦アンカー要素および前記第２平坦アンカー要素を、それらの面が互いに対して垂直な状態で位置決めすることと、
ｃ．前記第１平坦アンカー要素および前記第２平坦アンカー要素を一緒に結合するべく、前記第１平坦アンカー要素および前記第２平坦アンカー要素を締結することと、
を備える、方法。
【請求項１４】
前記締結することは、前記第２平坦アンカー要素の近位突起体を前記第１平坦アンカー要素のアパーチャへ挿入およびラッチすることを含む、請求項１３に記載の方法。
【請求項１５】
前記取得することは、圧断、切断、成型および鍛造からなる群より選択される技術を用いることによる、請求項１３または１４のどちらか一項に記載の方法。
【請求項１６】
請求項２乃至５の何れか一項に記載のアンカーシステムのアンカーを回収するための方法であって、前記方法は、
ａ．回収ワイヤを前記回収装置の遠位管部分に通すことであって、前記回収ワイヤは前記アンカーに接続されていることと、
ｂ．前記アンカーの近位部分が前記遠位管部分内に挿入されるまで、前記回収ワイヤを包囲する遠位管部分を前進させることと、
ｃ．前記アンカーが前記遠位管部分内に引っ込み、前記遠位管部分内に収まるように収縮するように、前記回収ワイヤを近位方向に引っ張ることと、
を備える、方法。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
第１の外科用器具を含む独立ロボットアームと、
第２の外科用器具を含む依存ロボットアームと、
前記独立ロボットアーム及び前記依存ロボットアームと通信している動き依存性ロボットコントローラと
を備える動き依存性外科用ロボットシステムであって、
前記動き依存性ロボットコントローラが、座標空間内の前記独立ロボットアームの動きを示す入力信号に応答して、前記座標空間内の前記独立ロボットアームの前記動きを制御し、
前記動き依存性ロボットコントローラが、更に、前記座標空間内の前記独立ロボットアームと前記依存ロボットアームとの間の空間幾何学的関係の関数として、前記座標空間内の前記依存ロボットアームの動きを制御し、
前記空間幾何学的関係は、前記第１の外科用器具と前記第２の外科用器具とによる外科タスクの同期した実行において、前記独立ロボットアームと前記依存ロボットアームとの間の手順的同期を定義する、
動き依存性外科用ロボットシステム。
【請求項２】
前記座標空間内の前記依存ロボットアームの配向が、前記座標空間内の前記独立ロボットアームの配向に依存する、請求項１に記載の動き依存性外科用ロボットシステム。
【請求項３】
前記座標空間内の前記依存ロボットアームの配向が、前記座標空間内の前記独立ロボットアームの配向に依存しない、請求項１に記載の動き依存性外科用ロボットシステム。
【請求項４】
線形ベクトルが、更に、前記座標空間内の前記独立ロボットアームと前記依存ロボットアームとの間の前記空間幾何学的関係を定義する、請求項１に記載の動き依存性外科用ロボットシステム。
【請求項５】
前記線形ベクトルの大きさが可変であること、及び
前記線形ベクトルの方向が、前記座標空間の軸に平行であるか、前記座標空間の平面の横断であるか、又は前記座標空間内の球体の中心に対して放射状であるかのうちの１つであること、
のうちの１つである、請求項４に記載の依存性外科用ロボットシステム。
【請求項６】
角ベクトルが、更に、前記独立ロボットアームと前記依存ロボットアームとの間の前記空間幾何学的関係を定義する、請求項１に記載の動き依存性外科用ロボットシステム。
【請求項７】
前記角ベクトルの大きさが可変であること、及び
前記角ベクトルの方向が前記座標空間の平面の横断であること、
のうちの１つである、請求項６に記載の動き依存性外科用ロボットシステム。
【請求項８】
前記動き依存性ロボットコントローラが、陽関数及びルックアップテーブルのうちの少なくとも１つに基づいて、前記手順的同期を算出する、請求項１に記載の動き依存性外科用ロボットシステム。
【請求項９】
前記動き依存性ロボットコントローラが、更に、前記座標空間内の前記依存ロボットアームによる障害物回避の関数として、前記座標空間内の前記依存ロボットアームの前記動きを制御する、請求項１に記載の動き依存性外科用ロボットシステム。
【請求項１０】
前記動き依存性ロボットコントローラは、
座標空間内の前記独立ロボットアームの前記動きを示す入力信号に応答して、前記座標空間内の前記独立ロボットアームの前記動きを制御するための独立動きベクトル信号を生成する独立動きベクトル生成器と、
前記独立動きベクトル生成器による前記独立動きベクトル信号の生成に応答して、前記座標空間内の前記独立ロボットアームの前記動きに有益である独立作動コマンドを生成する独立ロボットアームアクチュエータと、
前記独立動きベクトル生成器による前記独立動きベクトル信号の生成に応答して、前記座標空間内の前記独立ロボットアームと前記依存ロボットアームとの間の前記空間幾何学的関係の前記関数として、前記座標空間内の前記依存ロボットアームの前記動きを制御するための依存動きベクトル信号を生成する依存動きベクトル生成器と、
前記依存動きベクトル生成器による前記依存動きベクトル信号の生成に応答して、前記座標空間内の前記依存ロボットアームの前記動きに有益である作動コマンドを生成する依存ロボットアームアクチュエータと
を備える、請求項１に記載の動き依存性外科用ロボットシステム。
【請求項１１】
前記独立動きベクトルが、前記座標空間内の前記独立ロボットアームの配置を示す大きさ及び方向のうちの少なくとも１つを含み、
前記依存動きベクトルが、前記座標空間内の前記依存ロボットアームの配置を示す大きさ及び方向のうちの少なくとも１つを含む、
請求項１０に記載の動き依存性外科用ロボットシステム。
【請求項１２】
前記独立動きベクトルが、前記座標空間内の前記独立ロボットアームの速度を示す大きさ及び方向のうちの少なくとも１つを含み、
前記依存動きベクトルが、前記座標空間内の前記依存ロボットアームの速度を示す大きさ及び方向のうちの少なくとも１つを含む、
請求項１０に記載の動き依存性外科用ロボットシステム。
【請求項１３】
第１の外科用器具を含む独立ロボットアームと、第２の外科用器具を含む依存ロボットアームとを制御するための動き依存性ロボットコントローラであって、
座標空間内の独立ロボットアームの動きを示す入力信号に応答して、前記座標空間内の前記独立ロボットアームの前記動きを制御するための独立動きベクトル信号を生成する独立動きベクトル生成器と、
前記独立動きベクトル生成器による前記独立動きベクトル信号の生成に応答して、前記座標空間内の前記独立ロボットアームの前記動きに有益である独立作動コマンドを生成する独立ロボットアームアクチュエータと、
前記独立動きベクトル生成器による前記独立動きベクトル信号の生成に応答して、前記座標空間内の前記独立ロボットアームと前記依存ロボットアームとの間の空間幾何学的関係の関数として、前記座標空間内の前記依存ロボットアームの動きを制御するための依存動きベクトル信号を生成する依存動きベクトル生成器であって、前記空間幾何学的関係は、前記第１の外科用器具と前記第２の外科用器具とによる外科タスクの同期した実行において、前記独立ロボットアームと前記依存ロボットアームとの間の手順的同期を定義する、依存動きベクトル生成器と、
前記依存動きベクトル生成器による前記依存動きベクトル信号の生成に応答して、前記座標空間内の前記依存ロボットアームの前記動きに有益である作動コマンドを生成する依存ロボットアームアクチュエータと
を備える、動き依存性ロボットコントローラ。
【請求項１４】
前記独立動きベクトルが、前記座標空間内の前記独立ロボットアームの配置及び速度のうちの少なくとも１つを示す大きさ及び方向のうちの少なくとも１つを含み、
前記依存動きベクトルが、前記座標空間内の前記依存ロボットアームの配置及び速度のうちの少なくとも１つを示す大きさ及び方向のうちの少なくとも１つを含む、
請求項１３に記載の動き依存性ロボットコントローラ。
【請求項１５】
陽関数及びルックアップテーブルのうちの少なくとも１つに基づいて、前記手順的同期を算出する、
請求項１３に記載の動き依存性ロボットコントローラ。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
インプラントであって、
前記インプラントを上側半体と下側半体とに分ける横断面を画定する本体部と、
前記本体部の外周を画定する外周フレーム部と、
前記外周フレーム部の第１側部から前記外周フレーム部の第２側部に延びている中央壁と、
前記本体部に取り付けられて前記インプラントの前記上側半体内に配置されている第１骨接触部材と、
第１支持部材であって、前記外周フレーム部の上側側部の第１地点から前記第１骨接触部材に延び、さらに前記第１骨接触部材の内側の前記インプラントの中央領域内に延び、前記第１支持部材が延びている前記第１地点に隣接する前記外周フレーム部の下側側部の第２地点で終端する、第１支持部材と
を含む、インプラント。
【請求項２】
前記本体部に取り付けられて前記インプラントの前記上側半体内に配置されている第２骨接触部材であって、前記第１骨接触部材が、前記インプラントの前記第１側部に配置され、前記第２骨接触部材は、前記インプラントの前記第２側部に配置されている、第２骨接触部材と、
第２支持部材であって、前記第１地点に対向する前記外周フレーム部上の第３地点から前記らせん形第２骨接触部材に延び、さらに前記骨接触部材の内側に向かって延び、前記外周フレーム部上の第４地点で終端する、第２支持部材と
をさらに含み、
前記外周フレーム部上の前記第１地点および前記第２地点は、前記インプラントの前記第１側部に配置され、前記第３地点および前記第４地点は、前記インプラントの前記第２側部に配置されている、請求項１に記載のインプラント。
【請求項３】
前記インプラントの前記中央領域には、前記第１支持部材および前記第２支持部材以外の構造部材がない、請求項２に記載のインプラント。
【請求項４】
前記第１支持部材および前記第２支持部材は、前記骨接触部材の内側の前記中央領域において互いに接続されている、請求項２に記載のインプラント。
【請求項５】
前記第１支持部材および前記第２支持部材は、実質的にＵ字形であり、前記骨接触部材の内側の前記インプラントの前記中央領域において前記２つのＵ字形の底部で互いに接続されている、請求項４に記載のインプラント。
【請求項６】
前記第１支持部材および前記第２支持部材のうちの少なくとも１つは、骨接触部を含む、請求項２に記載のインプラント。
【請求項７】
前記第１骨接触部材はらせん形である、請求項１に記載のインプラント。
【請求項８】
前記第２骨接触部材はらせん形である、請求項２に記載のインプラント。
【請求項９】
前記第１支持部材が、前記第１骨接触部材の外方に面する側で前記第１骨接触部材と重なる、請求項１に記載のインプラント。
【請求項１０】
前記第１骨接触部材は、前記中央壁に取り付けられて前記外周フレーム部に延びている、請求項１に記載のインプラント。
【請求項１１】
インプラントであって、
外周フレーム部によって画定される本体部と、
前記外周フレーム部の一方の側から前記外周フレーム部のその反対の側に延びている中央壁と、
前記本体部の前記中央壁から前記外周フレーム部に延びて前記インプラントの外面を画定する複数のらせん形骨接触部材と、
前記中央壁の第１側部において、前記インプラントの中央領域内を延びている第１支持部材および第２支持部材とを含み、
前記中央壁の前記第１側部において、前記外周フレーム部、前記中央壁、および前記複数のらせん形骨接触部材が、前記インプラントの中央領域の内部容量を画定し、
前記インプラントの前記中央領域には、前記第１支持部材および前記第２支持部材以外の構造部材がない、
インプラント。
【請求項１２】
前記第１支持部材および前記第２支持部材は、実質的にＵ字形であり、前記インプラントの前記中央領域において前記２つのＵ字形の前記底部で互いに接続されている、請求項１１に記載のインプラント。
【請求項１３】
前記第１支持部材は、第１骨接触部を含み、前記第２支持部材は、第２骨接触部を含む、請求項１１に記載のインプラント。
【請求項１４】
前記複数のらせん形骨接触部材の骨接触部、前記第１支持部材の前記第１骨接触部および前記第２支持部材の前記第２骨接触部は、前記インプラントの１つのセクションにおいて前記インプラントの前記外面を形成するように互いに実質的に面一に配置されている実質的に平坦な表面を含む、請求項１３に記載のインプラント。
【請求項１５】
前記第１支持部材は、前記第１骨接触部材の外方に面する側で少なくとも前記複数のらせん形骨接触部材の第１骨接触部材と重なる、請求項１１に記載のインプラント。
【請求項１６】
前記インプラントの外周を画定する外周フレーム部と、
前記外周フレーム部の第１側部から前記外周フレーム部の第２側部に延びている中央壁と
をさらに含み、
前記複数のらせん形骨接触部材は、前記中央壁に取り付けられて前記外周フレーム部に延びている、
請求項１１に記載のインプラント。
【請求項１７】
脊柱の２つの椎骨を癒合させるためのインプラントを準備する方法であって、
外周フレーム部によって画定される本体部と、
前記外周フレーム部の一方の側から前記外周フレーム部のその反対の側に延びている中央壁と、
前記本体部の前記中央壁から前記外周フレーム部に延びて前記インプラントの外面を画定する複数の骨接触部材と、
前記中央壁の第１側部において、前記インプラントの中央領域内に延びている第１支持部材および第２支持部材と
を含み、
前記中央壁の前記第１側部において、前記外周フレーム部、前記中央壁、および前記複数の骨接触部材が、前記インプラントの中央領域の内部容量を画定し、
前記インプラントの前記中央領域には、前記第１支持部材および前記第２支持部材以外
の構造部材がない、
インプラントを提供することと、
前記第１支持部材および前記第２支持部材の周囲において前記インプラントの前記内部容量を骨成長促進材料で充填することと、
を含む、方法。
【請求項１８】
前記第１支持部材および前記第２支持部材は、実質的にＵ字形であり、前記インプラントの前記中央領域において前記２つのＵ字形の前記底部で互いに接続されている、請求項１７に記載の方法。
【請求項１９】
前記第１支持部材は、前記第１骨接触部材の外方に面する側で前記複数の骨接触部材の第１骨接触部材と重なる、請求項１７に記載の方法。
【請求項２０】
前記複数の骨接触部材の各々は、一般的ならせん形幾何学形状を有する、請求項１７に記載の方法。
【請求項２１】
前記中央壁の前記第２側部において、前記インプラントは、前記中央壁の前記第１側部と実質的に同様の構成を有する、請求項１７に記載の方法。
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
ＡＡＶｈｕ６８カプシドと少なくとも１つの発現カセットとを含む組換えアデノ随伴ウイルス（ｒＡＡＶ）ベクターであって、前記少なくとも１つの発現カセットが、機能性ＳＭＮタンパク質をコードする核酸配列、及び宿主細胞での前記ＳＭＮ配列の発現を促す発現制御配列を含むものであり、前記ｒＡＡＶが、
配列番号８の１〜７３６の予測アミノ酸配列をコードする核酸配列からの発現によって産生されるｖｐｌタンパク質、配列番号７から産生されるｖｐ１タンパク質、または配列番号８の１〜７３６の予測アミノ酸配列をコードし配列番号７と少なくとも７０％同一である核酸配列から産生されるｖｐ１タンパク質、から選択されるＡＡＶｈｕ６８  ｖｐ１タンパク質の異種集団、
配列番号８の少なくとも約アミノ酸１３８〜７３６の予測アミノ酸配列をコードする核酸配列からの発現によって産生されるｖｐ２タンパク質、配列番号７の少なくともヌクレオチド４１２〜２２１１を含む配列から産生されるｖｐ２タンパク質、または配列番号８の少なくとも約アミノ酸１３８〜７３６の予測アミノ酸配列をコードし配列番号７の少なくともヌクレオチド４１２〜２２１１と少なくとも７０％同一である核酸配列から産生されるｖｐ２タンパク質、から選択されるＡＡＶｈｕ６８  ｖｐ２タンパク質の異種集団、及び、
配列番号８の少なくとも約アミノ酸２０３〜７３６の予測アミノ酸配列をコードする核酸配列からの発現によって産生されるｖｐ３、配列番号７の少なくともヌクレオチド６０７〜２２１１を含む配列から産生されるｖｐ３タンパク質、または配列番号８の少なくとも約アミノ酸２０３〜７３６の予測アミノ酸配列をコードし配列番号７の少なくともヌクレオチド６０７〜２２１１と少なくとも７０％同一である核酸配列から産生されるｖｐ３タンパク質、から選択されるＡＡＶｈｕ６８  ｖｐ３タンパク質の異種集団
を含むＡＡＶｈｕ６８カプシドを有するものである、前記ｒＡＡＶベクター。
【請求項２】
前記コードされるＳＭＮタンパク質がアイソフォームＤタンパク質であり、任意に、
（ｉ） 前記コードされるＳＭＮアイソフォームＤタンパク質が配列番号２のアミノ酸配列を有するか；及び／または、
（ｉｉ） ＳＭＮアイソフォームＤをコードする前記核酸配列が、
（ａ）配列番号１、もしくはそれとの少なくとも７０％の同一性を共有し配列番号２のアミノ酸配列を有するＳＭＮタンパク質をコードする配列、
（ｂ）配列番号４；
（ｃ）配列番号５、または
（ｄ）配列番号６
からなる群から選択される、
請求項１に記載のｒＡＡＶベクター。
【請求項３】
前記発現制御配列がプロモーターを含み、任意に、前記プロモーターがニワトリβ−アクチン（ＣＢ）プロモーターである、請求項１又は２に記載のｒＡＡＶベクター。
【請求項４】
（ｉ）  エンハンサー、イントロン、コザック配列、ポリＡ、転写後調節エレメントのうちの１つ以上をさらに含むか；及び／または、
（ｉｉ） 前記カプシドを供給する前記ＡＡＶとは異なるＡＡＶからのＡＡＶ末端逆位反復（ＩＴＲ）配列をさらに含み、任意に、前記ＩＴＲがＡＡＶ２からのものである、
請求項１〜３のいずれか１項に記載のｒＡＡＶベクター。
【請求項５】
ＡＡＶ  ５’ＩＴＲ、ＣＢ７プロモーター、イントロン、配列番号１の核酸配列、ポリＡ及びＡＡＶ  ３’末端逆位反復配列を含むベクターゲノムが中にパッケージングされているＡＡＶカプシドを含む組換えアデノ随伴ウイルス（ｒＡＡＶ）ベクター。
【請求項６】
前記ベクターゲノムが配列番号１５または配列番号２５を有する、請求項５に記載のｒＡＡＶ。
【請求項７】
前記ＡＡＶがＡＡＶｈｕ６８カプシドを有し、前記ＡＡＶｈｕ６８カプシドが、
配列番号８の１〜７３６の予測アミノ酸配列をコードする核酸配列からの発現によって産生されるｖｐｌタンパク質、配列番号７から産生されるｖｐ１タンパク質、または配列番号８の１〜７３６の予測アミノ酸配列をコードし配列番号７と少なくとも７０％同一である核酸配列から産生されるｖｐ１タンパク質、から選択されるＡＡＶｈｕ６８  ｖｐ１タンパク質の異種集団、
配列番号８の少なくとも約アミノ酸１３８〜７３６の予測アミノ酸配列をコードする核酸配列からの発現によって産生されるｖｐ２タンパク質、配列番号７の少なくともヌクレオチド４１２〜２２１１を含む配列から産生されるｖｐ２タンパク質、または配列番号８の少なくとも約アミノ酸１３８〜７３６の予測アミノ酸配列をコードし配列番号７の少なくともヌクレオチド４１２〜２２１１と少なくとも７０％同一である核酸配列から産生されるｖｐ２タンパク質、から選択されるＡＡＶｈｕ６８  ｖｐ２タンパク質の異種集団、及び、
配列番号８の少なくとも約アミノ酸２０３〜７３６の予測アミノ酸配列をコードする核酸配列からの発現によって産生されるｖｐ３、配列番号７の少なくともヌクレオチド６０７〜２２１１を含む配列から産生されるｖｐ３タンパク質、または配列番号８の少なくとも約アミノ酸２０３〜７３６の予測アミノ酸配列をコードし配列番号７の少なくともヌクレオチド６０７〜２２１１と少なくとも７０％同一である核酸配列から産生されるｖｐ３タンパク質、から選択されるＡＡＶｈｕ６８  ｖｐ３タンパク質の異種集団
を含み、
任意に、前記ＡＡＶｈｕ６８がさらに、位置１５７のバリン及び任意選択の位置６７のグルタミン酸を有することによって特徴付けられる、
請求項５又は６に記載のｒＡＡＶ。
【請求項８】
ＡＡＶが、患者の脊髄性筋萎縮症を治療するのに有用である、請求項１〜７のいずれか１項に記載のアデノ随伴ウイルス（ＡＡＶ）ベクター。
【請求項９】
薬学的に許容できる担体、賦形剤及び／または保存剤、ならびに請求項１〜８のいずれか１項に記載のＡＡＶベクターを含む、医薬組成物。
【請求項１０】
脊髄性筋萎縮症の治療に用使用するための、請求項９に記載の医薬組成物。
【請求項１１】
前記組成物がクモ膜下腔内に投与される、請求項１０に記載の組成物。
【請求項１２】
前記組成物が哺乳動物に投与される、請求項１０又は１１に記載の組成物。
【請求項１３】
前記組成物が、
（ｉ）  別の療法と組み合わせて投与されるか；
（ｉｉ） 約１×１０10〜約３×１０14ＧＣ／ｇ脳質量の投薬量で；任意に約５×１０13ＧＣの投薬量か又は約１．８５×１０14ＧＣの投薬量で、投与されるか；及び／または、
（ｉｉｉ） １回より多く投与される、
請求項１０〜１２のいずれかに記載の組成物。
【請求項１４】
前記組成物が、７．２〜７．８のｐＨを有する水溶液の中に懸濁している、請求項９〜１３のいずれか１項に記載の組成物。
【請求項１５】
脊髄性筋萎縮症が、１８歳未満の子供におけるか、または成人におけるものである、請求項９から１４のいずれか１項に記載の組成物。